(57)【要約】【課題】従来よりも低コストで、かつ、少ない工数で表示装置の表示特性を校正することができる表示装置用校正システム等を提供する。【解決手段】表示装置用校正システム１０は、表示装置２０の表示特性を校正するためのシステムであって、画像を表示する表示装置２０と、表示装置２０に表示された画像を撮影する撮影装置３０と、撮影装置３０と通信路で接続され、撮影装置３０で撮影された画像を、通信路を介して取得し、取得した画像に対して演算を行うことで、表示装置２０の表示特性を補正するための補正データ１２を生成し、生成した補正データ１２を、通信路を介して、表示装置２０又は表示装置２０と接続された制御装置３９に向けて送信するサーバ装置５０とを備える。【選択図】図１
2019149767.tif 000002
【特許請求の範囲】
【請求項１】
表示装置の表示特性を校正するための表示装置用校正システムであって、
画像を表示する表示装置と、
前記表示装置に表示された画像を撮影する撮影装置と、
前記撮影装置と通信路で接続され、前記撮影装置で撮影された画像を、前記通信路を介して取得し、取得した画像に対して演算を行うことで、前記表示装置の表示特性を補正するための補正データを生成し、生成した補正データを、前記通信路を介して、前記表示装置又は前記表示装置と接続された制御装置に向けて送信するサーバ装置と
を備える表示装置用校正システム。
【請求項２】
前記撮影装置は、撮像部を有する携帯情報端末である
請求項１記載の表示装置用校正システム。
【請求項３】
前記サーバ装置は、前記撮影装置から取得した画像の少なくとも一つの代表点における輝度に対して、前記代表点における輝度の基準値を用いた演算を行うことで、前記補正データを生成する
請求項１又は２記載の表示装置用校正システム。
【請求項４】
前記サーバ装置は、前記撮影装置から取得した画像に対して、空間的な輝度ムラを算出する演算を行うことで、前記補正データを生成する
請求項１〜３のいずれか１項に記載の表示装置用校正システム。
【請求項５】
前記撮影装置は、補正用画像を前記表示装置に送信し、
前記表示装置は、前記撮影装置から送信されてきた前記補正用画像を取得して表示し、
前記撮影装置は、前記表示装置に表示された前記補正用画像を撮影する
請求項１〜４のいずれか１項に記載の表示装置用校正システム。
【請求項６】
前記表示装置は、前記通信路を介して前記サーバ装置から前記補正データを取得し、取得した補正データを用いて、入力された映像信号を補正して表示する
請求項１〜５のいずれか１項に記載の表示装置用校正システム。
【請求項７】
さらに、前記表示装置と接続され、前記通信路を介して前記サーバ装置から前記補正データを取得し、取得した前記補正データを用いて、入力された画像を補正して前記表示装置に出力する制御装置を備える
請求項１〜５のいずれか１項に記載の表示装置用校正システム。
【請求項８】
前記撮影装置は、前記表示装置に表示された画像を、複数の視点から撮影し、
前記サーバ装置は、前記撮影装置で複数の視点から撮影された複数の画像を取得し、取得した複数の画像を合成し、合成によって得られた画像を用いて、前記補正データを生成する
請求項１〜７のいずれか１項に記載の表示装置用校正システム。
【請求項９】
前記表示装置は、前記表示装置を識別する識別情報を提示し、
前記撮影装置は、前記表示装置が提示した前記識別情報を取得し、
前記サーバ装置は、前記撮影装置から前記識別情報を取得し、取得した前記識別情報に対応づけて前記補正データを生成する
請求項１〜８のいずれか１項に記載の表示装置用校正システム。
【請求項１０】
前記表示装置は、前記識別情報を、可視光通信で送信する、バーコードで表示する、又は、無線通信で送信することにより、前記識別情報を提示する
請求項９記載の表示装置用校正システム。
【請求項１１】
前記サーバ装置は、複数の参照データを保持し、
前記サーバ装置は、前記撮影装置から取得した前記識別情報に基づいて、複数の参照データのうちから一部の参照データを選択し、
前記サーバ装置は、前記撮影装置から取得した画像に対して、前記一部の参照データを用いた演算を行うことで、前記補正データを生成する
請求項９又は１０に記載の表示装置用校正システム。
【請求項１２】
前記サーバ装置は、前記表示装置の表示特性を示す参照データを保持し、前記撮影装置から取得した画像に対して、前記参照データを用いた演算を行うことで、前記補正データを生成する
請求項１〜８のいずれか１項に記載の表示装置用校正システム。
【請求項１３】
前記参照データは、前記表示装置の輝度の空間分布を示す初期値であり、
前記サーバ装置は、前記撮影装置から取得した画像に対して、前記初期値を基準とする空間的な輝度ムラを算出することで、前記補正データを生成する
請求項１２記載の表示装置用校正システム。
【請求項１４】
前記サーバ装置は、前記撮影装置から取得した画像を、取得した日時を示す時間情報とともに、前記画像を表示した前記表示装置に対応づけて蓄積することを繰り返す
請求項１〜１３のいずれか１項に記載の表示装置用校正システム。
【請求項１５】
前記サーバ装置は、蓄積した前記画像及び前記時間情報に基づいて、前記表示装置の表示特性の経時変化を表示する
請求項１４記載の表示装置用校正システム。
【請求項１６】
前記サーバ装置は、蓄積した前記画像及び前記時間情報に基づいて、前記表示装置の表示特性の変化を予測する
請求項１４記載の表示装置用校正システム。
【請求項１７】
前記表示装置は、異なる複数の画像を切り替えて表示し、
前記撮影装置は、前記表示装置に表示された前記複数の画像を撮影し、
前記サーバ装置は、さらに、前記撮影装置によって撮影された前記複数の画像を取得し、取得した前記複数の画像から、前記複数の画像において共通する位置に同じ表示オブジェクトがあるか否かを判断することで、前記表示装置の画面又は前記撮影装置に異物が付着していることを検知してユーザに提示する異物検出部を有する
請求項１〜１６のいずれか１項に記載の表示装置用校正システム。
【請求項１８】
さらに、前記撮像部を校正するための校正用冶具を備え、
前記校正用冶具は、
光源と、
前記光源に対して前記撮像部を位置決めする構造物である位置決め部とを有する
請求項２記載の表示装置用校正システム。
【請求項１９】
前記校正用冶具は、さらに、前記光源及び前記撮像部を収容する筺体を備え、
前記位置決め部は、前記筺体内に前記撮像部を固定する位置決めガイドである
請求項１８記載の表示装置用校正システム。
【請求項２０】
前記位置決め部は、前記撮像部に対して着脱可能なアタッチメントである
請求項１８記載の表示装置用校正システム。
【請求項２１】
請求項１〜２０のいずれか１項に記載の表示装置用校正システムを構成する表示装置であって、
請求項１〜２０のいずれか１項に記載の表示装置用校正システムを構成する撮影装置と通信する通信部と、
前記撮影装置から送信されてきた画像を、前記通信部を介して取得し、取得した画像を示す映像信号を生成する映像信号生成部と、
前記撮影装置から送信されてきた補正データを、前記通信部を介して取得して格納する補正データ格納部を有し、前記補正データ格納部に格納された補正データを用いて、前記映像信号生成部で生成された映像信号を補正する映像信号処理部と、
前記映像信号処理部で補正された映像信号を表示する表示パネルと
を備える表示装置。
【請求項２２】
前記補正データ格納部は、異なる補正を示す少なくとも２つの補正データを格納する記憶容量を有する
請求項２１記載の表示装置。
【請求項２３】
前記補正データ格納部は、予め与えられた補正データを格納している第１記憶部と、前記撮影装置から送信されてきた補正データを格納する第２記憶部とを有する
請求項２２記載の表示装置。
【請求項２４】
前記映像信号処理部は、さらに、前記映像信号生成部で生成された映像信号に対して、前記補正データ格納部に格納された補正データを用いた補正をすることなく、前記映像信号を出力し、
前記表示パネルは、さらに、前記映像信号処理部から前記補正がされないで出力された前記映像信号を表示する
請求項２１記載の表示装置。
【請求項２５】
請求項１〜２０のいずれか１項に記載の表示装置用校正システムを構成する撮影装置であって、
請求項１〜２０のいずれか１項に記載の表示装置用校正システムを構成する前記表示装置に表示された画像を撮影する撮像部と、
前記表示装置又は前記表示装置と接続された制御装置、及び、請求項１〜１５のいずれか１項に記載の表示装置用校正システムを構成するサーバ装置と通信する通信部と、
前記撮像部及び前記通信部を制御する制御部とを備え、
前記制御部は、
前記撮像部によって撮影された画像を、前記通信部を介して前記サーバ装置に送信するアップロード部と、
前記サーバ装置から前記通信部を介して送られてきた前記補正データを前記表示装置又は前記制御装置に転送するダウンロード部とを有する
撮影装置。
【請求項２６】
請求項１〜２０のいずれか１項に記載の表示装置用校正システムを構成するサーバ装置であって、
請求項１〜２０のいずれか１項に記載の表示装置用校正システムを構成する撮影装置と通信する通信部と、
前記通信部を制御する制御部とを備え、
前記制御部は、
前記通信部を介して前記撮影装置から取得した画像に対して演算を行うことで、請求項１〜２０のいずれか１項に記載の表示装置用校正システムを構成する表示装置の表示特性を補正するための補正データを生成する演算部と、
前記演算部で生成された補正データを、前記表示装置又は前記表示装置と接続された制御装置に向けて送信する補正データ伝達部とを有する
サーバ装置。
【請求項２７】
表示装置の表示特性を校正する表示装置の校正方法であって、
前記表示装置が画像を表示する表示ステップと、
前記表示装置に表示された画像を撮影装置が撮影する撮影ステップと、
前記撮影装置と通信路で接続されたサーバ装置が、前記撮影装置で撮影された画像を、前記通信路を介して取得し、取得した画像に対して演算を行うことで、前記表示装置の表示特性を補正するための補正データを生成し、生成した補正データを、前記通信路を介して、前記表示装置又は前記表示装置と接続された制御装置に向けて送信する補正データ送信ステップと
を含む表示装置の校正方法。
【発明の詳細な説明】
【技術分野】
【０００１】
本発明は、表示装置の表示特性を校正するための表示装置用校正システム、表示装置用校正システムを構成する表示装置、撮影装置、サーバ装置、及び、表示装置の校正方法に関する。
【背景技術】
【０００２】
ＬＣＤ（Ｌｉｑｕｉｄ  Ｃｒｙｓｔａｌ  Ｄｉｓｐｌａｙ）等の表示装置では、表示特性のばらつきが存在する。ここで、表示特性とは、個々の表示装置がもつ画質（輝度、色、各種ムラ）特性であり、例えば、ルックアップテーブル（以下、「ＬＵＴ」とも記す）によって定まる入出力特性（つまり、ガンマ特性）等によって調整され得る特性である。また、表示特性は、経時的にも変化し得る。そのために、表示装置の個体ごとに、表示特性を校正する必要がある。
【０００３】
従来、表示装置の表示特性を校正する（以下、単に「表示装置」を校正するともいう。）ための表示装置用校正システムが提案されている（例えば、特許文献１等参照）。特許文献１の表示装置用校正システムは、校正の対象となる表示装置の画面を撮影する分光カメラ及びＲＧＢカメラと、それらのカメラで得られた画像を分析することによって表示装置の画質調整のためのＬＵＴを生成し、生成したＬＵＴを用いて表示装置の画質情報を更新するパーソナルコンピュータ等とで構成される。これにより、表示装置が校正され得る。
【先行技術文献】
【特許文献】
【０００４】
【特許文献１】特開２０１０−８１５８８号公報
【発明の概要】
【発明が解決しようとする課題】
【０００５】
しかしながら、特許文献１の表示装置用校正システムでは、表示装置用校正システムごとに、複数の校正用専用機材で構成され、独自の校正作業を行うことが必要とされる。そのために、高いコストと多くの工数を要するという問題がある。
【０００６】
そこで、本発明は、上記問題を解決するためになされたものであり、従来よりも低コストで、かつ、少ない工数で表示装置の表示特性を校正することができる表示装置用校正システム、表示装置用校正システムを構成する表示装置、撮影装置、サーバ装置、及び、表示装置の校正方法を提供することを目的とする。
【課題を解決するための手段】
【０００７】
上記目的を達成するために、本発明の一形態に係る表示装置用校正システムは、表示装置の表示特性を校正するための表示装置用校正システムであって、画像を表示する表示装置と、前記表示装置に表示された画像を撮影する撮影装置と、前記撮影装置と通信路で接続され、前記撮影装置で撮影された画像を、前記通信路を介して取得し、取得した画像に対して演算を行うことで、前記表示装置の表示特性を補正するための補正データを生成し、生成した補正データを、前記通信路を介して、前記表示装置又は前記表示装置と接続された制御装置に向けて送信するサーバ装置とを備える。
【０００８】
上記目的を達成するために、本発明の一形態に係る表示装置は、上記表示装置用校正システムを構成する表示装置であって、上記表示装置用校正システムを構成する撮影装置と通信する通信部と、前記撮影装置から送信されてきた画像を、前記通信部を介して取得し、取得した画像を示す映像信号を生成する映像信号生成部と、前記撮影装置から送信されてきた補正データを、前記通信部を介して取得して格納する補正データ格納部を有し、前記補正データ格納部に格納された補正データを用いて、前記映像信号生成部で生成された映像信号を補正する映像信号処理部と、前記映像信号処理部で補正された映像信号を表示する表示パネルとを備える。
【０００９】
上記目的を達成するために、本発明の一形態に係る撮影装置は、上記表示装置用校正システムを構成する撮影装置であって、上記表示装置用校正システムを構成する前記表示装置に表示された画像を撮影する撮像部と、前記表示装置又は前記表示装置と接続された制御装置、及び、上記表示装置用校正システムを構成するサーバ装置と通信する通信部と、前記撮像部及び前記通信部を制御する制御部とを備え、前記制御部は、前記撮像部によって撮影された画像を、前記通信部を介して前記サーバ装置に送信するアップロード部と、前記サーバ装置から前記通信部を介して送られてきた前記補正データを前記表示装置又は前記制御装置に転送するダウンロード部とを有する。
【００１０】
上記目的を達成するために、本発明の一形態に係るサーバ装置は、上記表示装置用校正システムを構成するサーバ装置であって、上記表示装置用校正システムを構成する撮影装置と通信する通信部と、前記通信部を制御する制御部とを備え、前記制御部は、前記通信部を介して前記撮影装置から取得した画像に対して演算を行うことで、上記表示装置用校正システムを構成する表示装置の表示特性を補正するための補正データを生成する演算部と、前記演算部で生成された補正データを、前記表示装置又は前記表示装置と接続された制御装置に向けて送信する補正データ伝達部とを有する。
【００１１】
上記目的を達成するために、本発明の一形態に係る表示装置の校正方法は、表示装置の表示特性を校正する表示装置の校正方法であって、前記表示装置が画像を表示する表示ステップと、前記表示装置に表示された画像を撮影装置が撮影する撮影ステップと、前記撮影装置と通信路で接続されたサーバ装置が、前記撮影装置で撮影された画像を、前記通信路を介して取得し、取得した画像に対して演算を行うことで、前記表示装置の表示特性を補正するための補正データを生成し、生成した補正データを、前記通信路を介して、前記表示装置又は前記表示装置と接続された制御装置に向けて送信する補正データ送信ステップとを含む。
【発明の効果】
【００１２】
本発明により、従来よりも低コストで、かつ、少ない工数で表示装置の表示特性を校正することができる表示装置用校正システム、表示装置用校正システムを構成する表示装置、撮影装置、サーバ装置、及び、表示装置の校正方法が提供される。
【図面の簡単な説明】
【００１３】
【図１】図１は、実施の形態に係る表示装置用校正システムの構成図である。
【図２】図２は、図１に示された表示装置の構成を示すブロック図である。
【図３】図３は、図１に示された撮影装置の構成を示すブロック図である。
【図４】図４は、図１に示されたサーバ装置の構成を示すブロック図である。
【図５】図５は、図１に示された表示装置用校正システムの基本動作を示すシーケンス図である。
【図６】図６は、図１に示された撮影装置が表示装置に表示されたバーコードの読み取りによって表示装置の識別情報を取得する例を示す図である。
【図７Ａ】図７Ａは、図１に示された表示装置に表示された補正用画像を撮影装置が複数の視点から撮影する際の手順を示すフローチャートである。
【図７Ｂ】図７Ｂは、図１に示された撮影装置によって得られた複数の撮影画像を用いてサーバ装置が輝度ムラの校正を行う際の手順を示すフローチャートである。
【図８Ａ】図８Ａは、図１に示された表示装置に表示された画像を複数の視点から見たときの表示例を示す図である。
【図８Ｂ】図８Ｂは、図１に示された撮影装置の撮像制御部によるグラフィカルユーザインタフェースの例を示す図である。
【図９】図９は、図１に示されたサーバ装置によって輝度ムラを恒久的な成分と経時的な成分とに分けて校正する方法の処理の流れを説明する図である。
【図１０】図１０は、表示装置を交換した場合に表示装置の表示特性が急激に変化することを緩和するサービスを説明する図である。
【図１１】図１１は、ユーザがある時、ある場所で見た表示装置の見栄えを、他の時、他の場所で再現することを支援するサービスを説明する図である。
【図１２】図１２は、表示装置の表示特性の変化を予測するサービスを説明する図である。
【図１３】図１３は、図１に示された表示装置用校正システムによる付加的なサービスであって、異物検出部を説明するための図である。
【図１４Ａ】図１４Ａは、図３に示された撮影装置の撮像部を輝度校正するための校正用冶具の一例を示す外観図である。
【図１４Ｂ】図１４Ｂは、図３に示された撮影装置の撮像部を輝度校正するための校正用冶具の他の一例を示す外観図である。
【図１４Ｃ】図１４Ｃは、図３に示された撮影装置の撮像部を輝度校正又は輝度ムラの校正をするための校正用冶具として校正済みのカメラ又は校正済みの輝度計を用いたシステム構成を示す図である。
【図１５】図１５は、サーバ装置で生成された補正データが、表示装置に接続された制御装置にダウンロードされる例を示すブロック図である。
【発明を実施するための形態】
【００１４】
以下、本発明の実施の形態について、図面を用いて詳細に説明する。なお、以下で説明する実施の形態は、いずれも本発明の一具体例を示すものである。以下の実施の形態で示される数値、形状、材料、画像、データ、構成要素、構成要素の配置位置及び接続形態、ステップ、ステップの順序等は、一例であり、本発明を限定する主旨ではない。また、以下の実施の形態における構成要素のうち、本発明の最上位概念を示す独立請求項に記載されていない構成要素については、任意の構成要素として説明される。また、各図は、必ずしも厳密に図示したものではない。各図において、実質的に同一の構成については同一の符号を付し、重複する説明は省略又は簡略化する。
【００１５】
図１は、実施の形態に係る表示装置用校正システム１０の構成図である。本図に示されるように、表示装置用校正システム１０は、表示装置２０と、撮影装置３０と、サーバ装置５０とで構成される。
【００１６】
表示装置２０は、校正の対象となるディスプレイであり、ＬＣＤ、有機ＥＬ（ＥｌｅｃｔｒｏＬｉｍｉｎｅｓｃｅｎｃｅ）ディスプレイ等であり、モノクロ、グレースケール、カラー等の種類は問わない。
【００１７】
撮影装置３０は、表示装置２０に表示された補正用画像を撮影してサーバ装置５０に送信する装置であり、例えば、スマートフォン、タブレット端末等のカメラを内蔵する携帯情報端末である。本実施の形態では、図１に示されるように、撮影装置３０は、無線ＬＡＮ等の無線通信によって補正用画像１１を表示装置２０に送信することで表示装置２０に補正用画像１１を表示させ、表示された補正用画像１１を撮影することで得られた撮影画像１３を、インターネット又はＬＴＥ（Ｌｏｎｇ  Ｔｅｒｍ  Ｅｖｏｌｕｔｉｏｎ）等の通信路を介してサーバ装置５０に送信する。
【００１８】
サーバ装置５０は、撮影装置３０から通信路を介して送信されてきた撮影画像１３を取得し、取得した撮影画像１３に対して演算を行うことで、表示装置２０の表示特性を補正するためのＬＵＴである補正データ１２を生成し、生成した補正データ１２を、通信路を介して、表示装置２０又は表示装置２０と接続された制御装置（図示せず）に向けて送信する装置であり、例えば、撮影装置３０とインターネット等で接続されたコンピュータ装置である。これにより、表示装置２０が有する補正データが更新される。
【００１９】
図２は、図１に示された表示装置２０の構成を示すブロック図である。本図に示されるように、表示装置２０は、通信部２１、入力端子２２、映像信号生成部２３、映像信号処理部２４、表示パネル２８、及び、識別情報管理部２９を備える。
【００２０】
通信部２１は、撮影装置３０を含む外部機器と通信する通信アダプタであり、例えば、Ｂｌｕｅｔｏｏｔｈ（登録商標）又は無線ＬＡＮ用の通信アダプタである。
【００２１】
入力端子２２は、映像信号を受け取る端子であり、例えば、ＶＧＡ端子、ＤＶＩ端子、又は、ＨＤＭＩ（登録商標）端子等である。
【００２２】
映像信号生成部２３は、通信部２１から入力された映像又は画像を映像信号に変換し、あるいは、入力端子２２から入力された映像信号を中継することにより、映像信号を生成して映像信号処理部２４に出力する回路であり、例えば、グラフィックスプロセッサ等である。
【００２３】
映像信号処理部２４は、撮影装置３０から送信されてきたＬＵＴである補正データ１２等を、通信部２１を介して取得して保持する記憶部２５を有し、映像信号生成部２３から入力された映像信号に対して、記憶部２５に保持された補正データ１２ａ及び１２ｂを用いて補正を行い、補正後の映像信号を表示パネル２８に出力する回路である。補正データ１２ａ及び１２ｂは、入力信号の各階調値に対して出力信号に変換するために乗じる係数の集まりであり、例えば、ガンマ曲線を示すデータである。補正データ１２ａ及び１２ｂは、表示パネルの画素位置（あるいは、画素ブロック）に依存しない代表的な入出力特性を示すデータであってもよいし、表示パネルの画素位置（あるいは、画素ブロック）に依存した空間的な輝度特性（つまり、「輝度ムラ」）を示すデータであってもよいし、それらの両方であってもよい。
【００２４】
ここで、記憶部２５は、例えば不揮発性メモリであり、異なる補正を示す少なくとも２つの補正データ１２ａ及び１２ｂを格納する記憶容量を有する。より詳しくは、記憶部２５は、予め与えられた補正データ１２ａ（つまり、工場出荷時の初期値）を格納している第１記憶部２５ａと、撮影装置３０から送信されてきた補正データ１２ｂ（つまり、工場出荷以降の補正データ）を格納する第２記憶部２５ｂとを有する。映像信号処理部２４は、映像信号生成部２３から入力された映像信号に対して、第１記憶部２５ａに保持された補正データ１２ａに第２記憶部２５ｂに保持された補正データ１２ｂを乗じることで得られた補正データを用いて補正を施し、補正後の映像信号を表示パネル２８に出力する。
【００２５】
なお、映像信号処理部２４は、ユーザからの指示等に基づいて、映像信号生成部２３から入力された映像信号に対して、記憶部２５に格納された補正データ１２ａ及び１２ｂを用いた補正をすることなく、そのままの映像信号を表示パネル２８に出力することもできる。
【００２６】
表示パネル２８は、映像信号処理部２４から入力された映像信号を表示するディスプレイパネルであり、例えば、タイミング・コントローラ（Ｔｉｍｉｎｇ  Ｃｏｎｔｒｏｌｌｅｒ：ＴＣＯＮ）、データ信号線ドライバ、アドレス信号線ドライバ、及び、液晶パネル等で構成される。
【００２７】
識別情報管理部２９は、表示装置２０を個体識別する識別情報２９ａを保持しており、提示の要求をうけたときに、保持している識別情報２９ａを通信部２１又は表示パネル２８を介して、外部に提示する処理部であり、例えば、識別情報２９ａを格納する不揮発性メモリを有するマイクロコンピュータ等によって実現される。具体的には、識別情報管理部２９は、リモコン（図示せず）等によるユーザの指示によって識別情報２９ａの提示要求を受けると、その指示に応じて、（１）識別情報２９ａを、表示パネル２８を用いた可視光通信で送信するように、映像信号生成部２３に識別情報２９ａを通知して指示する、（２）識別情報２９ａを、表示パネル２８にバーコードで表示するように、映像信号生成部２３に識別情報２９ａを通知して指示する、又は、（３）識別情報２９ａを、通信部２１を介して無線通信で送信するように、通信部２１に識別情報２９ａを通知して指示する。
【００２８】
図３は、図１に示された撮影装置３０の構成を示すブロック図である。本図に示されるように、撮影装置３０は、撮像部３１、入力部３２、表示部３３、通信部３４、制御部３５、及び、記憶部３６を備える。撮影装置３０は、上述したように、例えば、スマートフォン、タブレット端末等の携帯情報端末である。よって、撮像部３１、入力部３２、表示部３３、通信部３４、制御部３５、及び、記憶部３６は、一体化され、一つの小型携帯用の筐体に収容されている。
【００２９】
撮像部３１は、カメラであり、本実施の形態では、表示装置２０に表示された補正用画像を撮影するために用いられ、例えば、携帯情報端末に内蔵されたカラーのＣＣＤ又はＣＭＯＳイメージセンサ等である。なお、補正用画像とは、表示装置２０を校正するための画像である。
【００３０】
入力部３２は、ユーザの指示を受け取る入力デバイスであり、例えば、タッチパネル、ボタン等である。
【００３１】
表示部３３は、ディスプレイであり、例えば、ＬＣＤ等である。
【００３２】
通信部３４は、表示装置２０及びサーバ装置５０を含む外部機器と通信する通信アダプタであり、例えば、Ｂｌｕｅｔｏｏｔｈ（登録商標）、有線／無線ＬＡＮ、又は、インターネット用の通信アダプタであってもよいし、異なる種類の通信アダプタの集まりであってもよい。
【００３３】
制御部３５は、撮像部３１、入力部３２、表示部３３、通信部３４、及び、記憶部３６を制御することで撮影装置３０として各種機能を発揮する処理部である。具体的には、制御部３５は、アプリ等のプログラムが格納されたメモリ、そのプログラムを実行するプロセッサ、各種入出力ポート等を有する制御回路であり、プロセッサがプログラムを実行することによって発揮される機能的な構成要素として、アップロード部３５ａ、ダウンロード部３５ｂ、補正用画像指示部３５ｃ、及び、撮像制御部３５ｄを有する。
【００３４】
アップロード部３５ａは、撮像部３１による撮影によって得られた撮影画像１３を、通信部２１を介してサーバ装置５０に送信（つまり、アップロード）する。
【００３５】
ダウンロード部３５ｂは、サーバ装置５０から通信部２１を介して送られてきた補正データ１２を表示装置２０又は表示装置２０と接続された制御装置（本実施の形態では、表示装置２０）に転送（つまり、ダウンロード）する。
【００３６】
補正用画像指示部３５ｃは、記憶部３６に記憶された補正用画像１１を、通信部３４を介して表示装置２０に送信して表示装置２０に表示させる。
【００３７】
撮像制御部３５ｄは、表示装置２０に表示された画像を、複数の視点から撮影するように撮像部３１を制御する。このとき、撮像制御部３５ｄは、ユーザに、表示部３３を介して、複数の視点からの撮影を支援するためのグラフィカルユーザインタフェースを提供する。
【００３８】
なお、制御部３５は、ユーザからの入力部３２を介した指示に従って、（１）通信部３４を介して表示装置２０から受信することによって表示装置２０の識別情報を取得する、（２）撮像部３１を介して表示装置２０からの可視光通信を受信することによって表示装置２０の識別情報を取得する、又は、（３）表示装置２０に表示されたバーコードを撮像部３１で撮影した後にコード解析することによって表示装置２０の識別情報を取得する。表示装置２０の識別情報を取得した場合には、アップロード部３５ａは、サーバ装置５０に撮影画像１３を送信する際に、合わせて、表示装置２０から取得した識別情報もサーバ装置５０に送信する。
【００３９】
記憶部３６は、補正用画像１１を記憶する補正用画像記憶部として機能するだけなく、各種画像及びデータを記憶するメモリであり、例えば、不揮発性メモリである。
【００４０】
図４は、図１に示されたサーバ装置５０の構成を示すブロック図である。本図に示されるように、サーバ装置５０は、通信部５１、入力部５２、制御部５３、表示部５４、及び、記憶部５５を備える。サーバ装置５０は、上述したように、例えば、撮影装置３０とインターネット等で接続されたコンピュータ装置である。
【００４１】
通信部５１は、撮影装置３０を含む外部機器と通信する通信アダプタであり、例えば、有線／無線ＬＡＮ又はインターネット用の通信アダプタであってもよいし、異なる種類の通信アダプタの集まりであってもよい。
【００４２】
入力部５２は、ユーザの指示を受け取る入力デバイスであり、例えば、キーボード、マウス等である。
【００４３】
表示部５４は、ディスプレイであり、例えば、ＬＣＤ等である。
【００４４】
制御部５３は、通信部５１、入力部５２、表示部５４、及び、記憶部５５を制御することで、表示装置２０を校正するサーバとしての機能を発揮する処理部である。具体的には、制御部５３は、プログラムが格納されたメモリ、そのプログラムを実行するプロセッサ、各種入出力ポート等を有する制御回路であり、プロセッサがプログラムを実行することによって発揮される機能的な構成要素として、演算部５３ａ、及び、補正データ伝達部５３ｂを有する。
【００４５】
演算部５３ａは、撮影装置３０での撮影によって得られた撮影画像１３を、通信部５１を介して取得し、取得した撮影画像１３に対して演算を行うことで、表示装置２０の表示特性を補正するためのＬＵＴである補正データ１２を生成する。このとき、演算部５３ａは、撮影装置３０から識別情報２９ａを取得した場合には、取得した識別情報２９ａに対応づけて補正データ１２を生成する。
【００４６】
具体的には、演算部５３ａは、輝度校正として、撮影装置３０から取得した撮影画像１３の少なくとも一つの代表点における輝度に対して、代表点における輝度の基準値を用いた演算を行うことで、補正データ１２を生成する。このとき、演算部５３ａは、撮影装置３０から取得した撮影画像１３に対して、記憶部５５に保存された複数の参照データ１４から、撮影装置３０から取得した識別情報２９ａに対応した一部の参照データ１４を選択し、選択した一部の参照データ１４を用いた演算を行うことで、補正データ１２を生成する。このときに用いられる参照データ１４は、例えば、撮影装置３０が表示装置２０に送信して表示装置２０に表示させた補正用画像１１と同じ画像である。よって、演算部５３ａは、撮影装置３０から取得した撮影画像１３の少なくとも一つの代表点における輝度に対して、参照データ１４である補正用画像の代表点に対応する輝度を基準値として用いた演算を行うことで、補正データを生成する。
【００４７】
また、演算部５３ａは、輝度ムラの校正として、撮影装置３０から取得した撮影画像１３に対して、空間的な輝度ムラを算出する演算を行うことで、補正データ１２を生成する。このとき、演算部５３ａは、撮影装置３０から取得した画像に対して、記憶部５５に保存された参照データ１４を用いた演算を行うことで、補正データ１２を生成する。このときに用いられる参照データ１４は、例えば、表示装置２０の輝度の空間分布を示す初期値である。よって、演算部５３ａは、撮影装置３０から取得した画像に対して、参照データ１４が示す初期値を基準とする空間的な輝度ムラを算出することで、補正データ１２を生成する。
【００４８】
また、演算部５３ａは、撮影装置３０において複数の視点から撮影された複数の撮影画像１３を撮影装置３０から取得した場合には、取得した複数の撮影画像１３を合成し、合成によって得られた画像を用いて、補正データ１２を生成する。
【００４９】
補正データ伝達部５３ｂは、演算部５３ａが生成した補正データ１２を、通信部５１を介して、表示装置２０又は表示装置２０と接続された制御装置（本実施の形態では、表示装置２０）に向けて送信（つまり、ダウンロード）する。
【００５０】
なお、制御部５３は、自動で、あるいは、ユーザからの入力部３２もしくは入力部５２を介した指示に従って、撮影装置３０から取得した撮影画像１３を、取得した日時を示す時間情報とともに、表示装置２０に対応づけて、記憶部５５に蓄積することを繰り返す。この場合には、制御部５３は、蓄積した撮影画像１３及び時間情報に基づいて、表示装置２０の表示特性の経時変化を表示部５４に表示したり、蓄積した撮影画像１３及び時間情報に基づいて、表示装置２０の表示特性の変化を予測したりする。
【００５１】
記憶部５５は、参照データ１４を含む各種データを記憶するメモリであり、例えば、不揮発性メモリである。なお、参照データ１４は、例えば、表示装置２０の製造会社が提供するデータベースからサーバ装置５０が取得して記憶部５５に格納されたデータである。また、記憶部５５は、必ずしもサーバ装置５０のローカルの記憶装置である必要はなく、インターネット等の通信路を介してサーバ装置５０からアクセスされるリモートの記憶装置であってもよい。
【００５２】
次に、以上のように構成された本実施の形態に係る表示装置用校正システム１０の動作について説明する。
【００５３】
図５は、図１に示された表示装置用校正システム１０の基本動作（つまり、表示装置２０の校正方法）を示すシーケンス図である。ここでは、表示装置２０、撮影装置３０及びサーバ装置５０の動作手順及び通信のやりとりが示されている。
【００５４】
まず、撮影装置３０において、入力部３２を介したユーザからの指示に従って、制御部３５の補正用画像指示部３５ｃは、記憶部３６から補正用画像１１を読み出し、読み出した補正用画像１１を、通信部３４を介して表示装置２０に送信する（Ｓ１０）。なお、記憶部３６には、様々な目的又は精度に対応した複数の補正用画像１１を格納しておき、補正用画像指示部３５ｃは、入力部３２からのユーザの指示に従って、複数の補正用画像１１の中から選択された補正用画像１１を記憶部３６から読み出して表示装置２０に送信してもよい。
【００５５】
次に、表示装置２０において、通信部２１を介して受信された補正用画像１１は、映像信号生成部２３によって映像信号に変換され、変換後の映像信号は、映像信号処理部２４に送られる。そして、映像信号処理部２４において、入力された映像信号は、記憶部２５に格納された補正データ１２ａで補正され、表示パネル２８に送られて表示される（表示ステップＳ１１）。なお、補正においては、典型的には、補正データ１２ａ（つまり、工場出荷時の初期値）を用いて補正されるが、これに代えて、第１記憶部２５ａに保持された補正データ１２ａに第２記憶部２５ｂに保持された補正データ１２ｂ（つまり、工場出荷後の補正データ）を乗じることで得られた補正データを用いてもよい。また、補正をすることなく、つまり、映像信号生成部２３から入力された映像信号をそのまま、表示パネル２８に出力してもよい。
【００５６】
次に、撮影装置３０において、撮像部３１は、表示装置２０に表示された補正用画像１１を撮影する（撮影ステップＳ１２）。なお、輝度校正を行う場合は、輝度が異なる複数の補正用画像１１を撮影装置３０から表示装置２０に送信して表示装置２０で表示し、表示装置２０に表示された補正用画像１１を撮影装置３０が撮像して保持する（記憶部３６に一時保存する）という処理（Ｓ１０〜Ｓ１２）を、複数の補正用画像１１について繰り返す。
【００５７】
続いて、撮影装置３０のアップロード部３５ａは、撮像部３１による撮影によって得られた撮影画像１３を、通信部２１を介してサーバ装置５０に送信する（Ｓ１３）。このとき、撮影装置３０が無線通信、可視光通信、又は、図６に示されるように表示装置２０に表示されたバーコードの読み取りにより、表示装置２０の識別情報を取得している場合には、アップロード部３５ａは、サーバ装置５０に撮影画像１３を送信する際に、合わせて、表示装置２０から取得した識別情報もサーバ装置５０に送信する。
【００５８】
撮影装置３０から送信されてきた撮影画像１３を取得したサーバ装置５０では、演算部５３ａは、取得した撮影画像１３に対して演算を行うことで、表示装置２０の表示特性を補正するためのＬＵＴである補正データ１２を生成する（Ｓ１４）。このとき、演算部５３ａは、撮影装置３０から識別情報２９ａを取得している場合には、取得した識別情報２９ａに対応づけて補正データ１２を生成する。
【００５９】
具体的には、演算部５３ａは、輝度校正として、撮影装置３０から取得した撮影画像１３の少なくとも一つの代表点における輝度に対して、代表点における輝度の基準値を用いた演算を行うことで、補正データ１２を生成する。より詳しくは、演算部５３ａは、撮影装置３０から取得した撮影画像１３の少なくとも一つの代表点における輝度に対して、記憶部５５に保存されている参照データ１４である補正用画像の代表点に対応する輝度を基準値として用いた演算（例えば、除算）を行うことで、補正データを生成する。
【００６０】
なお、撮影装置３０から輝度の異なる複数の撮影画像１３を取得している場合には、演算部５３ａは、それら複数の異なる輝度のそれぞれについて、補正係数を算出する。つまり、演算部５３ａは、撮影装置３０から取得した一つの撮影画像１３の代表点の輝度で基準値の輝度を除することで一つの輝度（つまり、階調値）に対する補正係数を算出する。そのような処理を、撮影装置３０から取得した複数の撮影画像１３（つまり、複数の階調値）について繰り返す。そして、演算部５３ａは、得られた複数の補正係数を補間することで、全ての輝度（つまり、階調値）のそれぞれに対する補正係数を算出し、算出した補正係数の集まりを、輝度を補正するための補正データ１２として生成する。
【００６１】
また、演算部５３ａは、輝度ムラの校正として、撮影装置３０から取得した撮影画像１３に対して、空間的な輝度ムラを算出する演算を行うことで、補正データ１２を生成する。例えば、撮影画像１３の各画素値（あるいは、画素ブロック）についての平均値を算出し、算出した平均値を各画素値（あるいは、画素ブロックの平均画素値）で除して得られる補正係数の集まりを、輝度ムラを補正するための補正データ１２として算出する。また、参照データ１４を用いた輝度ムラの校正では、演算部５３ａは、撮影装置３０から取得した画像に対して、記憶部５５に保存されている参照データ１４が示す初期値を基準とする空間的な輝度ムラを算出することで、補正データ１２を生成する。なお、輝度校正、輝度ムラの校正、及び、それら両方のいずれを実行するかは、例えば、入力部３２を介した事前のユーザの設定による。
【００６２】
続いて、サーバ装置５０の補正データ伝達部５３ｂは、演算部５３ａが生成した補正データ１２を、通信部５１を介して、表示装置２０又は表示装置２０と接続された制御装置（本実施の形態では、表示装置２０）に向けて送信する（補正データ送信ステップＳ１５）。
【００６３】
サーバ装置５０から送信されてきた補正データ１２を受信した撮影装置３０では、ダウンロード部３５ｂは、サーバ装置５０から受信した補正データ１２を、通信部３４を介して、表示装置２０又は表示装置２０と接続された制御装置（本実施の形態では、表示装置２０）に転送する（Ｓ１６）。
【００６４】
表示装置２０では、撮影装置３０から送られてきた補正データ１２は、通信部２１で受信され、映像信号処理部２４によって、第２記憶部２５ｂに上書き保存される（Ｓ１７）。これによって、第２記憶部２５ｂの補正データ１２ｂは更新される。
【００６５】
なお、ステップＳ１１において、映像信号生成部２３から入力された映像信号を映像信号処理部２４において補正することなくそのまま表示パネル２８に出力することによって補正用画像１１を表示した場合には、表示装置２０では、撮影装置３０から送られてきた補正データ１２が、映像信号処理部２４によって第１記憶部２５ａに上書き保存されてもよい。
【００６６】
このような校正が完了した後は、表示装置２０では、映像信号処理部２４は、映像信号生成部２３から入力された映像信号に対して、第１記憶部２５ａに保持された補正データ１２ａに第２記憶部２５ｂに保持された補正データ１２ｂを乗じることで得られた補正データを用いて補正を施し、補正後の映像信号を表示パネル２８に出力する。このようにして、表示装置２０では、撮影装置３０による輝度校正、輝度ムラの校正、あるいは、それらの両方が反映された表示が行われる。
【００６７】
以上のように、本実施の形態に係る表示装置用校正システム１０は、表示装置２０の表示特性を校正するためのシステムであって、画像を表示する表示装置２０と、表示装置２０に表示された画像を撮影する撮影装置３０と、撮影装置３０と通信路で接続され、撮影装置３０で撮影された画像を、通信路を介して取得し、取得した画像に対して演算を行うことで、表示装置２０の表示特性を補正するための補正データ１２を生成し、生成した補正データ１２を、通信路を介して、表示装置２０又は表示装置２０と接続された制御装置に向けて送信するサーバ装置５０とを備える。
【００６８】
これにより、表示装置２０が置かれた現場では、表示装置２０に表示された画像を撮影装置３０によって撮影してサーバ装置５０に送信するだけで済むので、サーバ装置５０と連携した簡易な操作で表示装置２０の校正を行うことができる。また、サーバ装置５０は、複数の表示装置２０に対して共通した校正を行うことができるので、校正を行う現場ごとに複数の校正用専用機材を設置する場合に比べ、表示装置２０ごとに要する校正用機材のコストは低くなる。よって、従来よりも低コストで、かつ、少ない工数で表示装置２０の表示特性を校正することができる表示装置用校正システム１０が実現される。さらに、サーバ装置５０上のビッグデータ及び高い演算性能を活用した校正により、高精度で、かつ、高い付加価値をもつ校正サービスを実現することも可能になる。
【００６９】
ここで、撮影装置３０は、撮像部３１を有する携帯情報端末であってもよい。
【００７０】
これにより、広く普及したスマートフォン等の携帯情報端末によって撮影装置３０が実現されるので、表示装置２０が置かれた現場では、特別なハードウェアを必要とすることなく、アプリをインストールするだけで表示装置２０を校正できる。
【００７１】
また、サーバ装置５０は、撮影装置３０から取得した画像の少なくとも一つの代表点における輝度に対して、代表点における輝度の基準値を用いた演算を行うことで、補正データ１２を生成する。
【００７２】
これにより、表示装置２０が置かれた現場では撮影装置３０を操作するだけで、表示装置２０に対して輝度校正が行われる。
【００７３】
また、サーバ装置５０は、撮影装置３０から取得した画像に対して、空間的な輝度ムラを算出する演算を行うことで、補正データ１２を生成する。
【００７４】
これにより、表示装置２０が置かれた現場では撮影装置３０を操作するだけで、表示装置２０に対して輝度ムラに対する校正が行われる。
【００７５】
また、撮影装置３０は、補正用画像１１を表示装置２０に送信し、表示装置２０は、撮影装置３０から送信されてきた補正用画像１１を取得して表示し、撮影装置３０は、表示装置２０に表示された補正用画像１１を撮影する。
【００７６】
これにより、撮影装置３０が保持する補正用画像１１を表示装置２０に表示させたうえで表示装置２０を校正できるので、校正に用いる補正用画像として、撮影装置３０側で任意に選択することが可能になる。
【００７７】
また、表示装置２０は、通信路を介してサーバ装置５０から補正データ１２を取得し、取得した補正データ１２を用いて、入力された映像信号を補正して表示する。
【００７８】
これにより、校正によって得られた補正データ１２によって表示装置２０が保持する補正データ１２が更新され、表示装置２０により、更新後の補正データ１２が活用される。
【００７９】
また、サーバ装置５０は、表示装置２０の表示特性を示す参照データ１４を保持し、撮影装置３０から取得した画像に対して、参照データ１４を用いた演算を行うことで、補正データ１２を生成する。
【００８０】
これにより、撮影装置３０によって得られた画像だけでなく、表示装置２０の製造会社が保持する参照データ等の基準となる情報を用いた校正が可能になるので、高い精度での校正が実現される。
【００８１】
また、表示装置２０は、表示装置２０を識別する識別情報２９ａを提示し、撮影装置３０は、表示装置２０が提示した識別情報２９ａを取得し、サーバ装置５０は、撮影装置３０から識別情報２９ａを取得し、取得した識別情報２９ａに対応づけて補正データ１２を生成する。
【００８２】
これにより、サーバ装置５０において、個々の表示装置２０に対応させて補正データ１２を保持して管理できるので、個々の表示装置２０に対する長期にわたる校正サービス等の高付加価値サービスが可能になる。
【００８３】
また、表示装置２０は、識別情報２９ａを、可視光通信で送信する、バーコードで表示する、又は、無線通信で送信することにより、識別情報２９ａを提示する。
【００８４】
これにより、表示装置２０の識別情報２９ａは、撮影又は通信によって読み取られるので、識別情報２９ａを人手で読み取って入力する手間がなくなる。
【００８５】
また、サーバ装置５０は、複数の参照データ１４を保持し、撮影装置３０から取得した識別情報２９ａに基づいて、複数の参照データ１４のうちから一部の参照データ１４を選択し、撮影装置３０から取得した画像に対して、選択した一部の参照データ１４を用いた演算を行うことで補正データ１２を生成する。
【００８６】
これにより、多数の表示装置に関する参照データ１４から対象の表示装置に関連する参照データ１４を抽出し利用することで、精度よく補正データを作成できる。
【００８７】
また、表示装置用校正システム１０を構成する表示装置２０は、撮影装置３０と通信する通信部２１と、撮影装置３０から送信されてきた画像を、通信部２１を介して取得し、取得した画像を示す映像信号を生成する映像信号生成部２３と、撮影装置３０から送信されてきた補正データ１２を、通信部２１を介して取得して格納する補正データ格納部としての記憶部２５を有し、補正データ格納部に格納された補正データ１２を用いて、映像信号生成部２３で生成された映像信号を補正する映像信号処理部２４と、映像信号処理部２４で補正された映像信号を表示する表示パネル２８とを備える。
【００８８】
これにより、スマートフォン等の携帯情報端末である撮影装置３０を介した低コストで、かつ、少ない工数で表示特性が校正される表示装置２０が実現される。
【００８９】
ここで、補正データ格納部としての記憶部２５は、異なる補正を示す少なくとも２つの補正データ１２ａ及び１２ｂを格納する記憶容量を有する。
【００９０】
これにより、２つの補正データ１２ａ及び１２ｂの一方をバックアップ用途等に用いることで、校正が終了した後に、何らかの理由で校正前の状態に戻したい場合であっても、そのような復元が可能となり、高機能な表示装置２０が実現される。
【００９１】
また、補正データ格納部としての記憶部２５は、予め与えられた補正データ１２ａを格納している第１記憶部２５ａと、撮影装置３０から送信されてきた補正データ１２ｂを格納する第２記憶部２５ｂとを有する。
【００９２】
これにより、第１記憶部２５ａを初期値の保存用とし、第２記憶部２５ｂを更新用として用いることで、いつでも表示特性を初期状態に復元することが可能となり、利便性に優れた表示装置２０が実現される。一例として、第１記憶部２５ａを、読み出し専用且つ書き換え不能なリードオンリーメモリ（ＲＯＭ）で構成し、第２記憶部２５ｂを、書き換え可能なランダムアクセスメモリ（ＲＡＭ）で構成してもよい。
【００９３】
また、映像信号処理部２４は、さらに、映像信号生成部２３で生成された映像信号に対して、補正データ格納部に格納された補正データ１２ａ及び１２ｂを用いた補正をすることなく、映像信号を出力し、表示パネル２８は、さらに、映像信号処理部２４から補正がされないで出力された映像信号を表示する。
【００９４】
これにより、補正データを反映しない映像信号の表示が可能になるので、表示装置２０が有する本来の表示特性で画像を表示させたうえで表示装置２０を校正できる。よって、直前の補正データの影響を受けることなく、表示装置２０が有する本来の表示特性を直接、補正できる補正データ１２が生成される。
【００９５】
また、本実施の形態に係る撮影装置３０は、表示装置２０に表示された画像を撮影する撮像部３１と、表示装置２０又は表示装置２０と接続された制御装置、及び、サーバ装置５０と通信する通信部３４と、撮像部３１及び通信部３４を制御する制御部３５とを備え、制御部３５は、撮像部３１によって撮影された画像を、通信部２１を介してサーバ装置５０に送信するアップロード部３５ａと、サーバ装置５０から通信部２１を介して送られてきた補正データ１２を表示装置２０又は制御装置に転送するダウンロード部３５ｂとを有する。
【００９６】
これにより、従来よりも低コストで、かつ、少ない工数で表示装置２０の表示特性を校正することができる表示装置用校正システム１０に用いられる撮影装置３０が実現される。
【００９７】
また、本実施の形態に係るサーバ装置５０は、撮影装置３０と通信する通信部５１と、通信部５１を制御する制御部５３とを備え、制御部５３は、通信部５１を介して撮影装置３０から取得した画像に対して演算を行うことで、表示装置２０の表示特性を補正するための補正データ１２を生成する演算部５３ａと、演算部５３ａで生成された補正データ１２を、表示装置２０又は表示装置２０と接続された制御装置に向けて送信する補正データ伝達部５３ｂとを有する。
【００９８】
これにより、従来よりも低コストで、かつ、少ない工数で表示装置２０の表示特性を校正することができる表示装置用校正システム１０に用いられるサーバ装置５０が実現される。さらに、サーバ装置５０上のビッグデータ及び高い演算性能を活用した校正により、高精度で、かつ、高い付加価値をもつ校正サービスを実現することも可能になる。
【００９９】
また、本実施の形態に係る表示装置２０の校正方法は、表示装置２０が画像を表示する表示ステップと、表示装置２０に表示された画像を撮影装置３０が撮影する撮影ステップＳ１２と、撮影装置３０と通信路で接続されたサーバ装置５０が、撮影装置３０で撮影された画像を、通信路を介して取得し、取得した画像に対して演算を行うことで、表示装置２０の表示特性を補正するための補正データ１２を生成し、生成した補正データ１２を、通信路を介して、表示装置２０又は表示装置２０と接続された制御装置に向けて送信する補正データ送信ステップＳ１５とを含む。
【０１００】
これにより、表示装置２０が置かれた現場では、表示装置２０に表示された画像を撮影装置３０によって撮影してサーバ装置５０に送信するだけで済むので、サーバ装置５０と連携した簡易な操作で表示装置２０の校正を行うことができる。また、サーバ装置５０は、複数の表示装置２０に対して共通した校正を行うことができるので、校正を行う現場ごとに校正用専用機材を設置する場合に比べ、表示装置２０ごとに要する校正用機材のコストは低くなる。よって、従来よりも低コストで、かつ、少ない工数で表示装置２０の表示特性を校正することができる。さらに、サーバ装置５０上のビッグデータ及び高い演算性能を活用した校正により、高精度で、かつ、高い付加価値をもつ校正サービスを実現することも可能になる。
【０１０１】
次に、本実施の形態に係る表示装置用校正システム１０による特徴的な校正の詳細について説明する。
【０１０２】
まず、表示装置用校正システム１０による特徴的な校正の一つ目として、複数の視点から撮影された画像を用いた輝度ムラの校正について、説明する。
【０１０３】
図７Ａ及び図７Ｂは、複数の視点から撮影された画像を用いた輝度ムラの校正の手順を示すフローチャートである。具体的には、図７Ａは、図１に示された表示装置２０に表示された補正用画像１１を撮影装置３０が複数の視点から撮影する際の手順を示すフローチャートである。図７Ｂは、図１に示された撮影装置３０によって得られた複数の撮影画像を用いてサーバ装置５０が輝度ムラの校正を行う際の手順を示すフローチャートである。図８Ａは、図１に示された表示装置２０に表示された画像を複数の視点から見たときの表示例を示す図である。図８Ｂは、図１に示された撮影装置３０の撮像制御部３５ｄによるグラフィカルユーザインタフェースの例を示す図である。
【０１０４】
まず、表示装置２０には、全ての画素が同じ画素値をもつような補正用画像１１を表示させておく（図７ＡのＳ２０）。
【０１０５】
続いて、撮影装置３０により、第１の視点からの撮影を行う（図７ＡのＳ２１、図８Ａの（ａ））。具体的には、撮像制御部３５ｄは、図８Ｂに示されるように、ユーザに対して、複数の視点のうちの第１の視点（例えば、表示装置２０の前方左斜め）から、表示装置２０に表示された補正用画像１１を撮影することを促す画像を表示部３３に表示する。より詳しくは、撮像制御部３５ｄは、撮影装置３０の表示部３３に、第１の視点から表示装置２０を見た場合の表示パネル２８の枠を示すガイドと、撮像部３１が撮影している対象物の動画と、誘導用のメッセージとを重畳させて表示する。ここで、誘導用のメッセージとは、例えば、「表示装置の画面の枠がガイドに一致するような方向から撮影してください」、「もう少し右から撮影してください」等である。これに対して、ユーザは、表示部３３において表示装置２０の画面の枠とガイドとを一致させた状態で、撮影を行う。その後、撮像制御部３５ｄは、撮影で得られた撮影画像１３を記憶部３６に保存する。
【０１０６】
続いて、撮影装置３０により、第２の視点からの撮影を行う（図７ＡのＳ２２、図８Ａの（ｂ））。具体的には、撮像制御部３５ｄは、複数の視点のうちの第２の視点（例えば、表示装置２０の前方右斜め）から、表示装置２０に表示された補正用画像１１を撮影することを促す画像を表示部３３に表示する。この場合には、撮像制御部３５ｄは、撮影装置３０の表示部３３に表示するガイドとして、第２の視点から表示装置２０を見た場合の表示パネル２８の枠を示すガイドを表示する。これに対して、ユーザは、表示部３３において表示装置２０の画面の枠とガイドとを一致させた状態で、撮影を行う。その後、撮像制御部３５ｄは、撮影で得られた撮影画像１３を記憶部３６に保存する。
【０１０７】
なお、このような異なる視点からの撮影は、２種類の方向からの撮影に限られず、３種類以上の方向から撮影されてもよい。
【０１０８】
このように、撮像制御部３５ｄによるグラフィカルユーザインタフェースを用いた誘導の下で複数の視点からの撮影によって得られた複数の撮影画像１３が記憶部３６に保存されると、撮影装置３０のアップロード部３５ａは、記憶部３６から複数の撮影画像１３を読み出し、通信部２１を介してサーバ装置５０に送信する（図７ＡのＳ２３）。
【０１０９】
サーバ装置５０では、通信部５１は、撮影装置３０から送られてきた複数の撮影画像１３を受信して記憶部５５に保存する（図７ＢのＳ２５）。そして、サーバ装置５０の演算部５３ａは、記憶部５５から複数の撮影画像１３を読み出し、読み出した複数の撮影画像１３を用いて補正データを生成する（図７ＢのＳ２６〜Ｓ２７、図８Ａの（ｃ））。具体的には、演算部５３ａは、複数の撮影画像１３に対して、同じ画素位置の画素値を加算（又は、平均化）することで、複数の撮影画像１３を合成し（図７ＢのＳ２６）、合成によって得られた画像に対して、上述した演算によって輝度ムラを補正するための補正データ１２を生成する（図７ＢのＳ２７、図８Ａの（ｃ））。
【０１１０】
このように、複数の画像を用いた輝度ムラの校正では、撮影装置３０は、表示装置２０に表示された画像を、複数の視点から撮影し、サーバ装置５０は、撮影装置３０で複数の視点から撮影された複数の画像を取得し、取得した複数の画像を合成し、合成によって得られた画像を用いて、補正データ１２を生成する。
【０１１１】
これにより、複数の視点から撮影された複数の画像を合成して用いることで補正データ１２が生成されるので、モアレ、ビート、外光等のノイズによる影響が抑制され、高い精度で表示装置２０の輝度ムラを校正することができる。
【０１１２】
次に、表示装置用校正システム１０による特徴的な校正の二つ目として、表示装置２０の輝度ムラを恒久的な成分と経時的な成分とに分けて校正する方法について、説明する。
【０１１３】
図９は、図１に示されたサーバ装置５０によって輝度ムラを恒久的な成分と経時的な成分とに分けて校正する方法の処理の流れを説明する図である。
【０１１４】
まず、表示装置２０の初期状態（例えば、工場出荷時等）における輝度の空間分布（つまり、輝度ムラ）を示す参照データ１４をサーバ装置５０の記憶部５５に保存しておく（Ｓ３０）。例えば、表示装置２０の工場出荷前に、高精度な校正装置を用いて輝度の空間分布を測定し、参照データ１４として記憶部５５に保存しておく。あるいは例えば、表示装置２０を購入したユーザが、表示装置２０の使用開始時に、輝度ムラの校正用の補正用画像１１を表示装置２０に表示させ、表示された補正用画像１１を撮影装置３０の撮像部３１で撮影し、サーバ装置５０にアップロードしておくことで、初期値としての参照データ１４を記憶部５５に保存しておく。この参照データ１４は、表示装置２０の輝度ムラに関する恒久的な成分（いわゆる、ＤＣ成分）を示す情報となる。
【０１１５】
表示装置２０の輝度ムラを校正する時期が到来すると、参照データ１４を取得したときに用いたものと同じ補正用画像１１を表示装置２０に表示させ、表示された補正用画像１１を撮影装置３０の撮像部３１で撮影し、得られた撮影画像１３をアップロード部３５ａによってサーバ装置５０に送信する（Ｓ３１）。
【０１１６】
そして、撮影画像１３を受信したサーバ装置５０では、演算部５３ａは、いま受信した撮影画像１３に対して、記憶部５５に記憶された参照データ１４を基準とする空間的な輝度ムラを算出することで（Ｓ３２）、補正データ１２を生成し、生成した時期と対応づけて記憶部５５に保存する。具体的には、画素（あるいは、画素ブロック）単位で、同じ位置における、撮影画像１３の画素値を参照データ１４の画素値で除して得られる補正係数（あるいは、この逆数）の集まりを、補正データ１２として生成し、生成した時期と対応づけて記憶部５５に保存する。この補正データは、表示装置２０の輝度ムラに関する経時的な成分（いわゆる、ＡＣ成分）を示す情報となる。
【０１１７】
このような輝度ムラの校正（Ｓ３１、Ｓ３２）については、例えば、一定期間おきに、繰り返す（Ｓ３３）。これにより、表示装置２０の経時的な表示特性の変化（ここでは、輝度低下）を、表示部５４に表示させる等することで、確認することができる。
【０１１８】
輝度ムラの校正によって得られた補正データは、サーバ装置５０の補正データ伝達部５３ｂによって、通信部５１を介して表示装置２０に転送され、表示装置２０の記憶部２５に書き込まれる（Ｓ３４）。
【０１１９】
このように、参照データ１４を用いた輝度ムラの校正では、参照データ１４は、表示装置２０の輝度の空間分布を示す初期値であり、サーバ装置５０は、撮影装置３０から取得した画像に対して、初期値を基準とする空間的な輝度ムラを算出することで、補正データ１２を生成する。
【０１２０】
これにより、輝度ムラを恒久的な成分と経時的な成分とに分離し、恒久的な成分については表示装置２０の工場出荷時データで高精度に校正しておき、経時的な成分についてはスマートフォン等の撮影装置３０を介して簡易に校正することが可能となり、トータルとして、細かい輝度ムラを補正できる高精度な校正が実現される。
【０１２１】
次に、表示装置用校正システム１０において、撮影装置３０から送られてきた撮影画像１３をサーバ装置５０に蓄積することによる付加的なサービスについて、説明する。
【０１２２】
まず、付加的なサービスの一つ目として、ユーザが表示装置２０を交換した場合に、表示装置２０の表示特性（例えば、輝度）が急激に変化し得るが、その変化を緩和するサービスについて説明する。
【０１２３】
図１０は、図１に示された表示装置用校正システム１０による付加的なサービスであって、表示装置２０を交換した場合に表示装置２０の表示特性が急激に変化することを緩和するサービスを説明する図である。
【０１２４】
表示装置用校正システム１０では、サーバ装置５０は、撮影装置３０から取得した撮影画像１３及び識別情報２９ａを、取得した日時を示す時間情報及び校正によって得られた補正データとともに、識別情報２９ａで識別される表示装置２０に対応づけて記憶部５５に蓄積することを繰り返す。サーバ装置５０は、表示装置２０ごとに、蓄積した撮影画像１３及び時間情報に基づいて、表示装置２０の表示特性の経時変化を管理（例えば、表示部５４に表示）することができる。
【０１２５】
このとき、サーバ装置５０は、撮影画像１３を送信してくる撮影装置３０のユーザを識別し、ユーザごとに、ユーザが使用している表示装置２０の表示特性を蓄積して管理することができる。図１０の（ａ）は、一人のユーザが使用している表示装置２０が交換された場合の表示特性（ここでは、輝度）の経時変化の一例を示す。表示装置２０が交換された時点で、大きく表示特性が変化していることが分かる。
【０１２６】
このような表示装置２０の交換があった場合に、サーバ装置５０は、表示装置２０の表示特性が急激に変化することを緩和するサービスを提供することができる。具体的には、サーバ装置５０は、交換前の表示装置２０の表示特性を記憶部５５に蓄積しているので、交換後の表示装置２０の表示特性が、交換前の表示装置２０の表示特性から徐々に変化するように、表示特性の校正を行う。より詳しくは、サーバ装置５０の演算部５３ａは、同一のユーザが所有する表示装置２０について、撮影画像１３がアップロードされる度に表示特性を校正して補正データ１２を生成するが、その際に、蓄積している過去の表示特性について、直近ほど大きな重みづけを与え、過去の表示特性の影響を受けるような計算方式で、新たな補正データ１２を生成する。そして、サーバ装置５０の補正データ伝達部５３ｂは、生成された補正データ１２を表示装置２０に向けて送信する。これによって、表示装置２０の補正データが更新される。図１０の（ｂ）は、このようなサーバ装置５０の付加的なサービスによる校正を受けた場合の、一人のユーザが使用している表示装置２０が交換された場合の表示特性（ここでは、輝度）の経時変化の一例を示す。表示装置２０が交換された後、徐々に表示特性が変化していることが分かる。これにより、ユーザが表示装置２０を交換した場合に、大きく表示特性が変わるときであっても、徐々に見た目を変えることで、目を慣らすことができる。
【０１２７】
このように、サーバ装置５０は、撮影装置３０から取得した画像を、取得した日時を示す時間情報とともに、画像を表示した表示装置２０に対応づけて蓄積することを繰り返す。
【０１２８】
これにより、サーバ装置５０において表示装置２０の表示特性を示す画像が日時と対応づけて蓄積されるので、蓄積された画像を用いた高付加価値サービスが可能になる。
【０１２９】
また、サーバ装置５０は、蓄積した画像及び時間情報に基づいて、表示装置２０の表示特性の経時変化を表示する。
【０１３０】
これにより、サーバ装置５０において表示装置２０の表示特性の経時変化が表示されるので、表示装置２０の性能劣化を一目で把握できる。
【０１３１】
次に、付加的なサービスの二つ目として、ユーザが表示装置２０を交換する場合に、交換前の表示装置２０の表示特性と近い表示装置と交換できることを支援するサービスについて説明する。
【０１３２】
サーバ装置５０は、ユーザごと、及び、表示装置２０ごとに、撮影装置３０からアップロードされてきた撮影画像１３、アップロードの時間情報及び校正によって得られた補正データ等を記憶部５５に蓄積することで、表示装置２０の表示特性の経時変化を管理している。よって、ユーザの通信装置からアクセスを受けた場合に、サーバ装置５０は、ユーザが現在所有している表示装置２０の表示特性に近い別の表示装置の製品名、製造ロット、個体等を提示することができる。具体的には、サーバ装置５０は、各種製造会社の表示装置の製品名、製造ロット、個体ごとの表示特性を示すデータベースを記憶部５５に保持しており、そのデータベースを参照することにより、あるいは、そのようなデータベースを保持する別のサーバ装置を、通信部５１を介して参照することにより、ユーザが現在所有している表示装置２０の表示特性に近い別の表示装置の製品名、製造ロット、個体等を検索し、検索の結果をユーザに提示する。これにより、ユーザは、表示装置２０を交換するときに、交換前の表示装置２０の表示特性と近い表示装置を知ることができ、そのような新しい表示装置を購入して交換することができる。
【０１３３】
次に、付加的なサービスの三つ目として、ユーザがある時、ある場所で見た表示装置２０の見栄えを、他の時、他の場所で再現することを支援するサービスについて説明する。
【０１３４】
図１１は、図１に示された表示装置用校正システム１０による付加的なサービスであって、ユーザがある時、ある場所で見た表示装置２０の見栄えを、他の時、他の場所で再現することを支援するサービスを説明する図である。ここには、一つの表示装置２０の表示特性（ここでは、輝度）について、複数の時点（Ａ年、Ｂ年、今）を含む経時変化の一例が示されている。
【０１３５】
サーバ装置５０は、ユーザごと、及び、表示装置２０ごとに、撮影装置３０からアップロードされてきた撮影画像１３、アップロードの時間情報及び校正によって得られた補正データ１２等を記憶部５５に蓄積することで、表示装置２０の表示特性の経時変化を管理している。よって、ユーザから過去のある時点が指定されると、サーバ装置５０は、その時点での表示特性を示す補正データ１２を記憶部５５から読み出し、補正データ伝達部５３ｂによって表示装置２０に向けて送信する。これによって、表示装置２０の補正データが過去のある時点でのものに更新され、表示装置２０の表示特性が過去のある時点のものに再現される。
【０１３６】
これにより、ユーザがある時、ある場所で見た表示装置２０の見栄えを、他の時、他の場所で再現すること（つまり、あたかも映像を過去の状態に巻き戻すようなこと）ができ、例えば、医療向けモニタの診断記録の保存及びトレーサビリティに役立てることができる。
【０１３７】
次に、付加的なサービスの四つ目として、表示装置２０の表示特性の変化を予測するサービスについて説明する。
【０１３８】
図１２は、図１に示された表示装置用校正システム１０による付加的なサービスであって、表示装置２０の表示特性の変化を予測するサービスを説明する図である。
【０１３９】
サーバ装置５０は、多数のユーザ（つまり、多数の表示装置２０）について、撮影装置３０からアップロードされてきた撮影画像１３、アップロードの時間情報及び校正によって得られた補正データ１２等を記憶部５５に蓄積することで、多数の表示装置２０について、表示特性の経時変化を管理している。図１２の（ａ）は、多数の表示装置２０の表示特性（ここでは、輝度）の経時変化を示す図である。図１２の（ａ）において、表示特性を示す曲線において急激に下降している箇所は、表示装置２０の故障の直前等に生じる現象である。
【０１４０】
サーバ装置５０は、蓄積した多数の表示装置２０の表示特性を統計分析することで、個々の表示装置２０の表示特性の変化を予測する。図１２の（ｂ）は、サーバ装置５０によって予測された表示装置２０の表示特性の変化の一例を示す図である。具体的には、サーバ装置５０は、製造会社、製品名、ロット等が共通する表示装置２０の表示特性だけを対象として、使用され始めてから、表示特性が急激に悪化するまでの平均期間を算出することで、そのような種類の表示装置２０の寿命を予測したり、故障の時期を予知したり、交換時期を予告したりすることができる。
【０１４１】
このように、サーバ装置５０は、蓄積した撮影画像及び時間情報に基づいて、表示装置２０の表示特性の変化を予測する。
【０１４２】
これにより、表示装置２０の寿命の予測、故障の予知、交換時期の予告等の付加価値サービスが可能になる。
【０１４３】
次に、付加的なサービスの五つ目として、異物検出に関するサービスについて説明する。
【０１４４】
図１３は、図１に示された表示装置用校正システム１０による付加的なサービスであって、異物検出を説明する図である。
【０１４５】
図１３は、図４に示されたサーバ装置５０の異物検出に関する機能を説明するための図である。ここでは、異物検出のための手順（（ａ）１回目の撮影、（ｂ）２回目の撮影、（ｃ）サーバ装置５０での表示）が図示されている。
【０１４６】
まず、「１回目の撮影」ステップとして、表示装置２０に第１画像（ここでは、白の画像）を表示させた状態で、表示された第１画像を撮影装置３０の撮像部３１が撮影し、得られた第１画像を撮影装置３０からサーバ装置５０にアップロードし、サーバ装置５０の記憶部５５に保存する（図５の（ａ））。
【０１４７】
次に、「２回目の撮影」ステップとして、表示装置２０に第２画像（ここでは、グレーの画像）を表示させた状態で、表示された第２画像を撮影装置３０の撮像部３１が撮影し、得られた第２画像を撮影装置３０からサーバ装置５０にアップロードし、サーバ装置５０の記憶部５５に保存する（図５の（ｂ））。
【０１４８】
なお、上記のような異なる画像の撮影は、２回に限られず、３回以上の任意の回数であってもよい。
【０１４９】
最後に、「サーバ装置５０での表示」ステップとして、サーバ装置５０は、撮像部３１によって撮影された複数の画像（ここでは、記憶部５５に保存された第１画像及び第２画像）から、それらの画像において共通する位置に同じ表示オブジェクトがあるか否かを判断することで、表示装置２０の画面又は撮像部３１に異物が付着していることを検知してユーザに提示する（図５の（ｃ））。
【０１５０】
具体的には、サーバ装置５０は、記憶部５５から読み出した複数の画像のそれぞれについて、空間的にみて輝度の異なる領域を抽出する輪郭抽出等の画像処理を行った後、抽出した領域の輝度が複数の画像において相対的に変わるか否かを判断する。その結果、相対的に輝度が変わる領域については、「輝度ムラ」が生じていると判断し、一方、相対的に輝度が変わらない領域については、「異物」が付着していると判断し、その判断結果を、表示部５４に提示する。なお、この判断結果は、サーバ装置５０から撮影装置３０にダウンロードすることで、撮影装置３０において表示してもよい。これにより、サーバ装置５０の表示部５４又は撮影装置３０の表示部３３を見たユーザは、表示装置２０の画面又は撮像部３１に異物が付着している場合には、そのことを知ることができる。
【０１５１】
このように、異物検出においては、表示装置２０は、異なる複数の画像を切り替えて表示し、撮影装置３０は、表示装置２０に表示された複数の画像を撮影する。そして、サーバ装置５０は、撮像部３１によって撮影された複数の画像を取得し、取得した複数の画像から、複数の画像において共通する位置に同じ表示オブジェクトがあるか否かを判断することで、表示装置２０の画面又は撮像部３１に異物が付着していることを検知してユーザに提示する。
【０１５２】
これにより、表示装置２０の画面又は撮像部３１に異物が付着していることが検知されるので、検知された場合に異物を除去することで、精度の高い輝度ムラの校正が確保される。
【０１５３】
次に、表示装置用校正システム１０の付属品として、撮影装置３０の撮像部３１自体の輝度校正をするための校正用冶具について、説明する。
【０１５４】
図１４Ａは、図３に示された撮影装置３０の撮像部３１を輝度校正するための校正用冶具の一例（校正用冶具４０ａ）を示す外観図である。
【０１５５】
校正用冶具４０ａは、既知の輝度を有する光源４１と、光源４１に対して撮像部３１を位置決めする構造物である位置決め部４２ａと、それら光源４１及び位置決め部４２ａを収容する筐体４３とで構成される。
【０１５６】
筐体４３は、外部から光が入らないように密閉されたダンボール等で構成される箱体である。
【０１５７】
光源４１は、筐体４３の一つの面の内側面に取り付けられ、対向する内側面に向けて既知（つまり、一定）の輝度の光を出射する光源であり、例えば、電池、及び、電池からの電力を入力として一定電流を出力する定電流回路、定電流回路からの電流が印可されるＬＥＤ等で構成される。
【０１５８】
位置決め部４２ａは、光源４１が発する光が、撮影装置３０が備える撮像部３１の入射口に入射するように撮影装置３０を筐体４３内（光源４１と対向する内側面）に固定する位置決めガイドである。
【０１５９】
このような校正用冶具４０ａにより、既知の輝度を有する光源４１を用いて、撮影装置３０の撮像部３１に対する撮像特性の校正が可能になり、撮影装置３０による高い精度での校正が確保される。
【０１６０】
また、校正用冶具４０ａには、筐体４３内に撮像部３１を固定する位置決めガイドが備えられているので、光源４１と撮像部３１との位置関係が容易に、かつ、確実に固定され、撮影装置３０の撮像部３１に対する校正作業が容易で正確なものとなる。
【０１６１】
図１４Ｂは、図３に示された撮影装置３０の撮像部３１を輝度校正するための校正用冶具の他の一例（校正用冶具４０ｂ）を示す外観図である。
【０１６２】
校正用冶具４０ｂは、既知の輝度を有する光源４１と、光源４１に対して撮像部３１を位置決めする構造物である位置決め部４２ｂとで構成される。
【０１６３】
光源４１は、校正用冶具４０ａの光源４１と同様のものであり、既知（つまり、一定）の輝度の光を出射する光源であり、例えば、電池、及び、電池から電力を入力として一定電流を出力する定電流回路、定電流回路からの電流が印可されるＬＥＤ等で構成される。
【０１６４】
位置決め部４２ｂは、光源４１が取り付けられ、撮像部３１に対して着脱可能なアタッチメントである。より詳しくは、位置決め部４２ｂは、光源４１が取り付けられた箱体であり、撮像部３１を含む撮影装置３０の角部分を嵌め込むことが可能な凹部４４を有する。このような位置決め部４２ｂの凹部４４に、撮影装置３０の撮像部３１を含む角部分を嵌め込むことで、光源４１から出射される光を撮像部３１の入射口に安定して入射させることができる。
【０１６５】
このように、校正用冶具４０ｂは、既知の輝度を有する光源４１と、光源４１に対して撮像部３１を位置決めする構造物である位置決め部４２ｂとを有する。位置決め部４２ｂは、撮像部３１に対して着脱可能なアタッチメントである。
【０１６６】
これにより、校正用冶具４０ｂには撮像部３１に対して着脱可能なアタッチメントが備えられるので、校正用冶具４０ｂを撮像部３１に取り付けるだけで、光源４１と撮像部３１との位置関係を、容易に、かつ、確実に固定でき、撮影装置３０の撮像部３１に対する校正作業を簡易に行うことができる。よって、従来のように、暗室等の高価な環境が不要となる。
【０１６７】
図１４Ｃは、図３に示された撮影装置３０の撮像部３１を輝度校正又は輝度ムラの校正をするための校正用冶具として校正済みのカメラ又は校正済みの輝度計（ここでは、校正済み輝度計４６）を用いたシステム構成を示す図である。
【０１６８】
輝度計４６は、表示装置用校正システム１０の付属品であって、表示装置２０に表示された校正用画像の輝度を計測する校正済みの測定器であり、撮影装置３０と通信する機能も有する。なお、輝度計４６は、専用の測定器に限られず、校正済みのカメラであってもよい。また、表示装置２０に表示させる校正用画像は、表示装置２０の校正に用いられた補正用画像１１と同一であってもよいし、撮像部３１を校正するための専用のものであってもよい。校正用画像は、例えば、全ての画素が同じ画素値をもつような画像である。
【０１６９】
撮影装置３０では、撮像部３１は、輝度計４６と同様に、表示装置２０に表示された校正用画像を撮影する。そして、制御部３５は、通信部３４を介して輝度計４６から、輝度計４６で計測された輝度を示すデータを取得し、取得したデータを用いて、撮像部３１を校正する。具体的には、制御部３５は、撮像部３１が撮影した校正用画像の少なくとも一つの代表点を用いて平均輝度を算出し、算出した平均輝度が輝度計４６から取得したデータが示す輝度となるように、輝度校正又は色校正を行う。
【０１７０】
このように、表示装置用校正システム１０は、表示装置２０に表示された画像に対して、撮影を行う校正済みのカメラ、又は、輝度を計測する校正済みの輝度計を付属品として備える。そして、撮影装置３０の制御部３５は、通信部３４を介して付属品からデータを取得し、取得したデータを用いて、撮像部３１を輝度校正する。
【０１７１】
これにより、校正済みの輝度計４６を用いて、撮影装置３０の撮像部３１に対する輝度校正が可能になり、撮影装置３０による高い精度での表示装置２０に対する輝度校正が確保される。
【０１７２】
以上、本発明に係る表示装置用校正システム１０及び１０ａ、表示装置２０、撮影装置３０、サーバ装置５０、及び、表示装置２０の校正方法について、実施の形態及び変形例に基づいて説明したが、本発明は、これらの実施の形態及び変形例に限定されるものではない。本発明の主旨を逸脱しない限り、当業者が思いつく各種変形を本実施の形態又は変形例に施したものや、実施の形態及び変形例における一部の構成要素を組み合わせて構築される別の形態も、本発明の範囲内に含まれる。
【０１７３】
例えば、上記実施の形態では、サーバ装置５０で生成された補正データ１２は、撮影装置３０を介して表示装置２０にダウンロードされたが、このような経路に限定されず、サーバ装置５０から撮影装置３０を介さずに表示装置２０にダウンロードされてもよいし、表示装置２０に接続された制御装置にダウンロードされてもよい。
【０１７４】
図１５は、実施の形態の変形例に係る表示装置用校正システム１０ａの構成図である。ここでは、サーバ装置５０で生成された補正データ１２が、表示装置２０に接続された制御装置３９にダウンロードされる例が示されている。
【０１７５】
制御装置３９は、サーバ装置５０とインターネット等の通信路で接続され、表示装置２０を画像の出力デバイスとして用いる装置であり、例えば、コンピュータ本体、ＴＶチューナ装置、医療用画像処理装置等である。制御装置３９は、表示装置２０と接続され、通信路を介してサーバ装置５０から補正データ１２を取得し、取得した補正データ１２を用いて、入力された画像を補正して表示装置２０に出力する。
【０１７６】
これにより、サーバ装置５０による校正で得られた補正データ１２によって、表示装置２０を画像の出力デバイスとして用いる制御装置３９が保持する補正データ１２が更新される。よって、制御装置３９において更新後の補正データ１２を用いて補正された画像が表示装置２０に表示され、制御装置３９によって更新後の補正データ１２が活用される。
【０１７７】
また、上記実施の形態では、撮影装置３０は、スマートフォン、タブレット端末等のカメラを内蔵する携帯情報端末であったが、これに限られず、表示装置２０に表示された画像を撮影してサーバ装置５０に送信する装置であれば、カメラとコンピュータ装置から構成される据置型の装置セットであってもよい。サーバ装置５０との連携を行うことで、従来よりも低コストで、かつ、少ない工数で表示装置２０の表示特性を校正できる。
【０１７８】
また、上記実施の形態では、サーバ装置５０によって輝度校正及び輝度ムラの校正が行われたが、必ずしも、これらの両方が行われる必要はない。輝度校正及び輝度ムラの校正のいずれか一方だけが行われてもよい。
【０１７９】
また、上記実施の形態では、撮影装置３０が表示装置２０に表示させる補正用画像１１を表示装置２０に送信したが、必ずしも、この送信は必要ではない。例えば、表示装置２０が、予め内部に保持している補正用画像、あるいは、ＵＳＢメモリ等の補助記憶装置から読み込んだ補正用画像、あるいは、インターネット等を介して外部装置から取得した補正用画像を表示してもよい。
【０１８０】
また、上記実施の形態では、撮影装置３０の制御部３５は、アップロード部３５ａ、ダウンロード部３５ｂ、補正用画像指示部３５ｃ、及び、撮像制御部３５ｄを有したが、これら全ての構成要素を有する必要はない。ダウンロード部３５ｂ、補正用画像指示部３５ｃ、及び、撮像制御部３５ｄは、必要に応じて、オプションとして追加されるアプリで実現されてもよい。
【０１８１】
また、上記実施の形態では、サーバ装置５０の記憶部５５は、参照データ１４を保持していたが、必ずしも参照データ１４を保持する必要はない。輝度ムラ等の校正であれば、サーバ装置５０は、参照データ１４を用いることなく、撮影装置３０から送信されてきた撮影画像１３に対して行うことができる。
【０１８２】
また、上記実施の形態では、表示装置２０の記憶部２５は、予め与えられた補正データ１２ａを格納している第１記憶部２５ａと、撮影装置３０から送信されてきた補正データ１２ｂを格納する第２記憶部２５ｂとを有したが、これらに限られず、さらに、バックアップ専用の記憶部、補正用画像を保持する記憶部等を有してもよい。
【産業上の利用可能性】
【０１８３】
本発明は、表示装置の表示特性を校正するための表示装置用校正システム、表示装置用校正システムを構成する表示装置、撮影装置、サーバ装置、及び、表示装置の校正方法として、特に、従来よりも低コストで、かつ、少ない工数で表示装置の表示特性を校正することができる携帯情報端末を用いた表示装置用校正システムとして、利用できる。
【符号の説明】
【０１８４】
１０、１０ａ  表示装置用校正システム
１１  補正用画像
１２、１２ａ、１２ｂ  補正データ（ＬＵＴ）
１３  撮影画像
１４  参照データ
２０  表示装置
２１  通信部
２２  入力端子
２３  映像信号生成部
２４  映像信号処理部
２５  記憶部
２５ａ  第１記憶部
２５ｂ  第２記憶部
２８  表示パネル
２９  識別情報管理部
２９ａ  識別情報
３０  撮影装置
３１  撮像部
３２  入力部
３３  表示部
３４  通信部
３５  制御部
３５ａ  アップロード部
３５ｂ  ダウンロード部
３５ｃ  補正用画像指示部
３５ｄ  撮像制御部
３６  記憶部
３９  制御装置
４０ａ、４０ｂ  校正用冶具
４１  光源
４２ａ、４２ｂ  位置決め部
４３  筐体
４４  凹部
４６  輝度計
５０  サーバ装置
５１  通信部
５２  入力部
５３  制御部
５３ａ  演算部
５３ｂ  補正データ伝達部
５４  表示部
５５  記憶部
【図１】
2019149767.tif 000003
【図２】
2019149767.tif 000004
【図３】
2019149767.tif 000005
【図４】
2019149767.tif 000006
【図５】
2019149767.tif 000007
【図６】
2019149767.tif 000008
【図７Ａ】
2019149767.tif 000009
【図７Ｂ】
2019149767.tif 000010
【図８Ａ】
2019149767.tif 000011
【図８Ｂ】
2019149767.tif 000012
【図９】
2019149767.tif 000013
【図１０】
2019149767.tif 000014
【図１１】
2019149767.tif 000015
【図１２】
2019149767.tif 000016
【図１３】
2019149767.tif 000017
【図１４Ａ】
2019149767.tif 000018
【図１４Ｂ】
2019149767.tif 000019
【図１４Ｃ】
2019149767.tif 000020
【図１５】
2019149767.tif 000021